(57)【特許請求の範囲】
【請求項１】
ゲート電極駆動モジュールと表示ユニットと該表示ユニットの一方の側に配列される複数のＣＯＦユニットとを含んでなり、
該ＣＯＦユニットの出力リード線が該表示ユニットのゲート電極リード線に接続し、
複数の該ＣＯＦユニットが信号リード線を介して順に直列接続し、かつ該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線は、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
前記ゲート電極リード線が第１金属層と第２金属層とを含み、かつ該第１金属層と該第２金属層とが、間に第２パターン化絶縁層を介して隔離し、
該ホール構造部が第１ホール領域と第２ホール領域とを含み、
該金属リード線が該第１ホール領域を通過して該第１金属層に接続し、かつ該金属リード線が該第２ホール領域を通過して該第２金属層に接続し、
前記ホール構造部が複数のサブホールを含み、かつそれぞれの該サブホールの形状が、円形か、もしくは方形を呈し、
前記第１ホール構造部の該サブホールと該第２ホール構造部の該サブホールとが同様の形状を有し、かつ同数形成され、該第１ホール構造部の該サブホールの接触面積が該第２ホール構造部の該サブホールの接触面積より狭い
ことを特徴とする液晶表示パネル。
【請求項２】
ゲート電極駆動モジュールと表示ユニットと該表示ユニットの一方の側に配列される複数のＣＯＦユニットとを含んでなり、
該ＣＯＦユニットの出力リード線が該表示ユニットのゲート電極リード線に接続し、
複数の該ＣＯＦユニットが信号リード線を介して順に直列接続し、かつ該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線は、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
前記第１ホール構造部が複数のサブホールを含み、かつそれぞれの該サブホールの形状が、円形か、もしくは方形を呈し、該第２ホール構造部が一つのサブホールを含み、該第２ホール構造部の該サブホール接触面積が該第１ホール構造部の複数の該サブホールの接触面積の総和より大きい
ことを特徴とする液晶表示パネル。
【請求項３】
請求項１または請求項２に記載の液晶表示パネルにおいて、
前記金属リード線が、ＩＴＯを材料とする
ことを特徴とする液晶表示パネル。
【請求項４】
請求項１から請求項３のいずれかに記載の液晶表示パネルにおいて、
前記ＣＯＦユニットの数が２から４である
ことを特徴とする液晶表示パネル。
【請求項５】
請求項１から請求項４のいずれかに記載の液晶表示パネルにおいて、
前記ＣＯＦユニットの数が２である
ことを特徴とする液晶表示パネル。
【請求項６】
画像を表示する液晶表示パネルと、該液晶表示パネルに光源を提供するバックライトモジュールとが対向配置されてなり、
かつ該液晶表示パネルが少なくともゲート電極駆動モジュールと、表示ユニットと、該表示ユニットの一方の側に配列される複数のＣＯＦユニットとを含んでなり、
複数の該ＣＯＦユニットの出力リード線が該表示ユニットのゲート電極リード線に接続し、
複数の該ＣＯＦユニットが信号リード線を介して順に直列接続し、さらに該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線が、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
かつ前段の該ＣＯＦユニットの、該ゲート電極駆動モジュールの信号リード線に接続する長さが比較的短く、後段の該ＣＯＦユニットの、該ゲート電極駆動モジュールの信号リード線に接続する長さが比較的長く、
前記ゲート電極リード線が第１金属層と第２金属層とを含み、かつ該第１金属層と該第２金属層とが、間に第２パターン化絶縁層を介して隔離し、
該ホール構造部が第１ホール領域と第２ホール領域とを含み、
該金属リード線が該第１ホール領域を通過して該第１金属層に接続し、かつ該金属リード線が該第２ホール領域を通過して該第２金属層に接続し、
前記ホール構造部が複数のサブホールを含み、かつそれぞれの該サブホールの形状が、円形か、もしくは方形を呈し、
前記第１ホール構造部の該サブホールと該第２ホール構造部の該サブホールとが同様の形状を有し、かつ同数形成され、該第１ホール構造部の該サブホールの接触面積が該第２ホール構造部の該サブホールの接触面積より狭い
ことを特徴とする液晶表示装置。
【請求項７】
画像を表示する液晶表示パネルと、該液晶表示パネルに光源を提供するバックライトモジュールとが対向配置されてなり、
かつ該液晶表示パネルが少なくともゲート電極駆動モジュールと、表示ユニットと、該表示ユニットの一方の側に配列される複数のＣＯＦユニットとを含んでなり、
複数の該ＣＯＦユニットの出力リード線が該表示ユニットのゲート電極リード線に接続し、
複数の該ＣＯＦユニットが信号リード線を介して順に直列接続し、さらに該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線が、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
かつ前段の該ＣＯＦユニットの、該ゲート電極駆動モジュールの信号リード線に接続する長さが比較的短く、後段の該ＣＯＦユニットの、該ゲート電極駆動モジュールの信号リード線に接続する長さが比較的長く、
前記第１ホール構造部が複数のサブホールを含み、かつそれぞれの該サブホールの形状が、円形か、もしくは方形を呈し、該第２ホール構造部が一つのサブホールを含み、該第２ホール構造部の該サブホール接触面積が該第１ホール構造部の複数の該サブホールの接触面積の総和より大きい
ことを特徴とする液晶表示装置。
【請求項８】
請求項６または請求項７に記載の液晶表示装置において、
前記金属リード線が、ＩＴＯを材料とする
ことを特徴とする液晶表示装置。
【請求項９】
請求項６から請求項８のいずれかに記載の液晶表示装置において、
前記ＣＯＦユニットの数が２から４である
ことを特徴とする液晶表示装置。
【請求項１０】
請求項６から請求項９のいずれかに記載の液晶表示装置において、
前記ＣＯＦユニットの数が２である
ことを特徴とする液晶表示装置。
【発明の詳細な説明】
【技術分野】
【０００１】
この発明は、液晶表示技術に関し、特に液晶表示パネルと、液晶表示パネルを具える液晶表示装置に関する
【背景技術】
【０００２】
液晶表示装置は、ＬＣＤ（ｌｉｑｕｉｄ  Ｃｒｙｓｔａｌ  Ｄｉｓｐｌａｙ）とも称し、平面状の極めて薄い表示デバイスである。液晶表示装置は、一定の数量のカラー、又はモノクロの画素によって構成され、光源か、反射板の前方に設置する。また、液晶表示装置はパワーの消費が極めて低く、かつ高画質で、体積が小さく、軽量であるといった特徴を具え、消費者の人気を博し、表示装置の主流となっている。
【０００３】
液晶表示装置は、液晶ディスプレーとバックライトモジュールとによってなる。液晶ディスプレーはバックライトモジュールと相対して設置し、かつバックライトモジュールによって表示用光源を液晶ディスプレーに提供し、液晶ディスプレーによって画像を表示する。目下の液晶表示装置は、薄膜トランジスタ（Ｔｈｉｎ  Ｆｉｌｍ  Ｔｒａｎｓｉｓｔｏｒ）液晶ディスプレーが主流となっていて、バックライトモジュールは光源の位置の違いで直下型とエッジ型との二種類の方式に分けられる。図１に、従来のチップオンフィルム（Ｃｈｉｐ  Ｏｎ  Ｆｉｌｍ、ＩＣをフレキシブルな配線板上に固定する結晶粒子フィルム実装技術）と称する実装技術による液晶表示パネルを開示する。図１に開示する液晶表示パネルは少なくともゲート電極駆動モジュール１０と、表示ユニット２０と、表示ユニット２０の一方の側に配列される２つのＣＯＦユニット３０ａ、３０ｂと、を含む。２つのＣＯＦユニット３０ａ、３０ｂは、出力リード線が表示ユニット２０のゲート電極リード線に接続する。また、２つのＣＯＦユニット３０ａ、３０ｂは、信号リード線６０を介して順に直列接続し、さらにゲート電極駆動モジュール１０に接続する。ゲート電極駆動モジュール１０は、２つのＣＯＦユニット３０ａ、３０ｂを介して表示ユニット２０に走査信号を提供する。
【０００４】
図１に開示する液晶表示パネルのように、ゲート電極駆動モジュール１０は信号リード線を介してＣＯＦユニット３０ａ、３０ｂに対して順に信号を出力する。後側のＣＯＦユニット３０ｂに伝送される信号は、前側のＣＯＦユニット３０ａに比してさらに大きな減衰現象が存在する。よって、ゲート電極駆動信号が表示ユニット２０に入力すると、信号の差異によって、表示ユニット２０が画像を表示する場合に、前側のＣＯＦユニット３０ａと後側のＣＯＦユニット３０ｂとの間の位置に弱電線３が出現する。即ち、Ｈ−ＢＬＯＣＫ（水平方向のグレイスケールの差異）が出現する。
【発明の概要】
【発明が解決しようとする課題】
【０００５】
この発明は、直列接続する一方のＣＯＦユニットと他方のＣＯＦユニットとの間にＨ−ＢＬＯＣＫが出現するという欠点を改善する液晶表示パネル及び液晶表示装置を提供することを課題とする。
【課題を解決するための手段】
【０００６】
そこで、本発明者は従来の液晶表示パネル、液晶表示装置に見られる上述の欠点に鑑み鋭意研究を重ねた結果、直列接続する一方のＣＯＦユニットと他方のＣＯＦユニットとの間にＨ−ＢＬＯＣＫが出現するという欠点を改善する液晶表示パネル及び液晶表示装置を完成させた。
【０００７】
以下この発明について説明する。
本発明の液晶表示パネルは、
ゲート電極駆動モジュールと表示ユニットと該表示ユニットの一方の側に配列される複数のＣＯＦユニットとを含んでなり、
該ＣＯＦユニットの出力リード線が該表示ユニットのゲート電極リード線に接続し、
複数の該ＣＯＦユニットが信号リード線を介して順に直列接続し、かつ該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線は、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
前記ゲート電極層が第１金属層と第２金属層とを含み、かつ該第１金属層と該第２金属層とが、間に第２パターン化絶縁層を介して隔離し、
該ホール構造部が第１ホール領域と第２ホール領域とを含み、
該金属リード線が該第１ホール領域を通過して該第１金属層に接続し、かつ該金属リード線が該第２ホール領域を通過して該第２金属層に接続し、
前記ホール構造部が複数のサブホールを含み、かつそれぞれの該サブホールの形状が、円形か、もしくは方形を呈し、
前記第１ホール構造部の該サブホールと該第２ホール構造部の該サブホールとが同様の形状を有し、かつ同数形成され、該第１ホール構造部の該サブホールの接触面積が該第２ホール構造部の該サブホールの接触面積より狭い
ことを特徴とする。
【００１３】
本発明の液晶表示パネルは、
ゲート電極駆動モジュールと表示ユニットと該表示ユニットの一方の側に配列される複数のＣＯＦユニットとを含んでなり、
該ＣＯＦユニットの出力リード線が該表示ユニットのゲート電極リード線に接続し、
複数の該ＣＯＦユニットが信号リード線を介して順に直列接続し、かつ該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線は、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
前記第１ホール構造部が複数のサブホールを含み、かつそれぞれの該サブホールの形状が、円形か、もしくは方形を呈し、該第２ホール構造部が一つのサブホールを含み、該第２ホール構造部の該サブホール接触面積が該第１ホール構造部の複数の該サブホールの接触面積の総和より大きい
ことを特徴とする。
【００１４】
本発明では、
前記金属リード線が、ＩＴＯを材料とする
ことが好ましい。
【００１５】
本発明では、
前記ＣＯＦユニットの数が２から４である
ことが好ましい。
【００１６】
本発明では、
前記ＣＯＦユニットの数が２である
ことが好ましい。
【００１７】
本発明の液晶表示装置は、
画像を表示する液晶表示パネルと、該液晶表示パネルに光源を提供するバックライトモジュールとが対向配置されてなり、
かつ該液晶表示パネルが少なくともゲート電極駆動モジュールと、表示ユニットと、該表示ユニットの一方の側に配列される複数のＣＯＦユニットとを含んでなり、
複数の該ＣＯＦユニットの出力リード線が該表示ユニットのゲート電極リード線に接続し、
複数の該ＣＯＦユニットが信号リード線を介して順に直列接続し、さらに該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線が、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
かつ前段の該ＣＯＦユニットの、該ゲート電極駆動モジュールの信号リード線に接続する長さが比較的短く、後段の該ＣＯＦユニットの、該ゲート電極駆動モジュールの信号リード線に接続する長さが比較的長く、
前記ゲート電極層が第１金属層と第２金属層とを含み、かつ該第１金属層と該第２金属層とが、間に第２パターン化絶縁層を介して隔離し、
該ホール構造部が第１ホール領域と第２ホール領域とを含み、
該金属リード線が該第１ホール領域を通過して該第１金属層に接続し、かつ該金属リード線が該第２ホール領域を通過して該第２金属層に接続し、
前記ホール構造部が複数のサブホールを含み、かつそれぞれの該サブホールの形状が、円形か、もしくは方形を呈し、
前記第１ホール構造部の該サブホールと該第２ホール構造部の該サブホールとが同様の形状を有し、かつ同数形成され、該第１ホール構造部の該サブホールの接触面積が該第２ホール構造部の該サブホールの接触面積より狭い
ことを特徴とする。
【００２３】
本発明の液晶表示装置は、
画像を表示する液晶表示パネルと、該液晶表示パネルに光源を提供するバックライトモジュールとが対向配置されてなり、
かつ該液晶表示パネルが少なくともゲート電極駆動モジュールと、表示ユニットと、該表示ユニットの一方の側に配列される複数のＣＯＦユニットとを含んでなり、
複数の該ＣＯＦユニットの出力リード線が該表示ユニットのゲート電極リード線に接続し、
複数の該ＣＯＦユニットが信号リード線を介して順に直列接続し、さらに該ゲート電極駆動モジュールに接続し、
該ゲート電極駆動モジュールが複数の該ＣＯＦユニットを介して該表示ユニットに走査信号を提供し、
前記ゲート電極駆動モジュールから出力される信号は前記信号リード線を介して前段の該ＣＯＦユニットから後段の該ＣＯＦユニットに順次伝送されるようになっており、
該ゲート電極リード線上に第１パターン化絶縁層が形成され、該第１パターン化絶縁層にホール構造部が形成され、該出力リード線が、金属リード線によって該ホール構造部を介して該ゲート電極リード線に接続し、
複数の該ＣＯＦユニットの内の前段の該ＣＯＦユニットが接続する第１ホール構造部の接触面積が、複数の該ＣＯＦユニットの内の後段の該ＣＯＦユニットの接続する第２ホール構造部の接触面積に比して狭く、
かつ前段の該ＣＯＦユニットの、該ゲート電極駆動モジュールの信号リード線に接続する長さが比較的短く、後段の該ＣＯＦユニットの、該ゲート電極駆動モジュールの信号リード線に接続する長さが比較的長く、
前記第１ホール構造部が複数のサブホールを含み、かつそれぞれの該サブホールの形状が、円形か、もしくは方形を呈し、該第２ホール構造部が一つのサブホールを含み、該第２ホール構造部の該サブホール接触面積が該第１ホール構造部の複数の該サブホールの接触面積の総和より大きい
ことを特徴とする。
【００２４】
本発明では、
前記金属リード線が、ＩＴＯを材料とする
ことが好ましい。
【００２５】
本発明では、
前記ＣＯＦユニットの数が２から４である
ことが好ましい。
【００２６】
本発明では、
前記ＣＯＦユニットの数が２である
ことが好ましい。
【発明の効果】
【００２７】
上述するように、この発明は従来の技術に存在する欠点を改善するものであって、この発明の提供する液晶表示パネルと液晶表示装置は、信号の差異により液晶表示パネルが画像を表示する際にＨ−ＢＬＯＣＫが出現するという欠点を改善することで、液晶表示パネルの画像表示の質を向上させるという効果を有する。
【図面の簡単な説明】
【００２８】
【図１】従来の液晶表示パネルの構造を示した説明図である。
【図２】この発明による液晶表示装置の構造を示した説明図である。
【図３】この発明による液晶表示パネルの構造を示した説明図である。
【図４】図３に開示するＡの部分を拡大した説明図である。
【図５】他異なるＣＯＦユニットに接続する異なるホール構造部の構造を示した説明図である。
【図６】実施例におけるＣＯＦユニットの出力リード線と表示ユニットのゲート電極リード線の接続構造を断面で示した説明図である。
【図７】実施例における異なるホール構造部を対比させた状態を示した説明図である。
【図８】実施例における異なるホール構造部を対比させた状態を示した他の説明図である。
【図９】実施例における異なるホール構造部を対比させた状態を示したその他説明図である。
【発明を実施するための形態】
【００２９】
この発明は、直列接続する一方のＣＯＦユニットと他方のＣＯＦユニットとの間にＨ−ＢＬＯＣＫが出現するという欠点を改善する液晶表示パネル及び液晶表示装置を提供するものであって、該液晶表示パネルはゲート電極駆動モジュールと表示ユニットと該表示ユニットの一方の側に配列される複数のＣＯＦユニットとを含んでなり、
該ＣＯＦユニットの出力リード線が該表示ユニットのゲート電極リード線に接続し、複数の該ＣＯＦユニットが信号リード線を介して順に直列接続し、かつ該ゲート電極駆動モジュールに接続し、該ゲート電極駆動モジュールが複数の  該ＣＯＦユニットを介して該表示ユニットに走査信号を提供し、該ゲート電極リード線上に第１パターン化絶縁層が形成され、該第１パターン化絶縁層にホール構造部が形成され、該出力リード線が、金属リード線が該ホール構造部を介して該ゲート電極リード線に接続し、
複数の該ＣＯＦユニットの内の前側のＣＯＦユニットが接続する第１ホール構造部の接触面積が、複数の該ＣＯＦユニットの内の後側のＣＯＦユニットの接続する第２ホール構造部の接触面積に比して狭い。また、係る
液晶表示パネルとバックライトモジュールとを対向配置して液晶表示装置を構成する。係る液晶表示パネル及び液晶表示装置の構造と特徴とを説明するために、具体的な実施例を挙げ、図面を参照にして以下に詳述する。
【実施例】
【００３０】
図２に開示するように、この発明による液晶表示装置は、対向配置するバックライトモジュール１と液晶表示パネル２とを含んでなる。バックライトモジュール１は液晶表示パネル２に光源を提供し、液晶表示パネル２によって画像を表示する。
【００３１】
図３から５に開示するように、液晶表示装置の液晶表示パネル２は、少なくともゲート電極駆動モジュール１０と、表示ユニット２０と、表示ユニット２０の一方の側に配列される２つのＣＯＦユニット３０ａ、３０ｂとを含んでなる、２つのＣＯＦユニット３０ａ、３０ｂは、出力リード線４０が表示ユニット２０のゲート電極リード線５０に接続する。また、２つのＣＯＦユニット３０ａ、３０ｂは、信号リード線６０を介して順に直列接続し、さらにゲート電極駆動モジュール１０に接続する。ゲート電極駆動モジュール１０は、２つのＣＯＦユニット３０ａ、３０ｂを介して表示ユニット２０に走査信号を提供する。
【００３２】
具体的に述べると、図３のＡの部分におけるＣＯＦユニット３０ａ、３０ｂの出力リード線４０と表示ユニット２０ゲート電極リード線５０との接続構造は、図４に開示するとおりである。即ち、表示ユニット２０のゲート電極リード線５０上に第１パターン化絶縁層７０ａを形成する。第１パターン化絶縁層７０ａにはホール構造部８０を形成し、ＣＯＦユニット３０ａ、３０ｂの出力リード線４０は、金属リード線９０がホール構造部８０を介してゲート電極リード線５０に接続してなり。図５に開示するように、前側のＣＯＦユニット３０ａが接続する第１ホール構造部８０ａは、接触面積が後側のＣＯＦユニット３０ｂの接続する第２ホール構造部の接触面積に比して狭い。第１ホール構造部８０ａの接触面積が第２ホール構造部８０ｂの接触面積より狭いことによって、接続する線には、さらに大きな電気抵抗が発生し、信号が前側のＣＯＦユニット３０ａから表示ユニット２０に伝送されると、大きな信号減衰が発生する。但し、全体から見れば、ゲート電極駆動モジュール１０から前側のＣＯＦユニット３０ａを通過して表示ユニット２０に伝送される信号と、ゲート電極駆動モジュール１０から後側のＣＯＦユニット３０ｂを通過して表示ユニット２０に伝送される信号とには、類似した信号減衰が発生する。このため、表示ユニット２０に画像を表示した場合に発生する前側ＣＯＦユニットと後側ＣＯＦユニットとの間にＨ-ＢＬＯＣＫが発生し、欠点となる問題を除去することができる。
【００３３】
図５に開示するように、第１ホール構造部８０ａは４つのサブホール８３ａを、第２ホール構造部８０ｂは４つのサブホール８３ｂを、それぞれ含んでなり、それぞれのサブホール８３ａ、８３ｂは、方形を呈する。第１ホール構造部８０ａのサブホール８３ａは、第２ホール構造部８０ｂのサブホール８３ｂに比して接触面積が狭い。よって、第１ホール構造部８０ａは、第２ホール構造部８０ｂに比して接触面積が狭い。図５には方形を呈する４つのサブホール８３ａと４つのサブホール８３ｂとを開示したが、他の実施の形態においてサブホール８３ａ、サブホール８３ｂの数は、その他の数を選択してもよく、その形状も円形、もしくはその他不規則な形状を選択してもよい。
【００３４】
上述する前側のＣＯＦユニット３０ａは、ＣＯＦユニット３０ａのゲート電極駆動モジュール１０の信号リード線６０に接続する長さが比較的短く、後側ＣＯＦユニット３０ｂは、ＣＯＦユニット３０ｂのゲート電極駆動モジュール１０の信号リード線６０に接続する長さが比較的長い。
【００３５】
従来の表示ユニット２０のゲート電極リード線５０は、線の幅が狭いことから、通常は信号伝送回路上の電気抵抗を減少させるために多重層の金属で構成されたゲート電極リード線５０を採用しない。図６は実施例における優先的なＣＯＦユニットの出力リード線と表示ユニットのゲート電極リード線との接続構造を断面で示した説明図である。
【００３６】
図７から図９に開示するように、表示ユニット２０のゲート電極リード線５０は、第１金属層５０ａと第２金属層５０ｂとを含んでなり、第１金属層５０ａと第２金属層５０ｂとは、間に第２パターン化絶縁層７０ｂを介して隔離される。第１パターン化絶縁層７０ａに配置されるホール構造部８０は、第１ホール領域８１と第２ホール領域８２とを含む。金属リード線９０は第１ホール領域８１を通過して第１金属層５０ａに接続し、また金属リード線９０は第２ホール領域８２を通過して第２金属層５０ｂに接続する。第１ホール構造部８０ａの第１ホール領域８１は、第２ホール構造部８０ｂの第１ホール領域８１に比して接触面積が狭い。第１ホール構造部８０ａの第２ホール領域８２は、第２ホール構造部８０ｂの第２ホール領域８２に比して接触面積が狭い。
【００３７】
第１ホール構造部８０ａの接触面積を第２ホール構造部８０ｂの接触面積より狭くするための選択的な方法として、次に掲げる何種類かの方法が挙げられる。
【００３８】
第１の方法は、図７に開示するように、第１ホール部８０ａのサブホール８３ａと第２ホール構造部８０ｂのサブホール８３ｂとを同様の形状、数にし、さらに第１ホール構造部８０ａに配置するサブホール８３ａの接触面積を第２ホール構造部８０ｂのサブホール８３ｂの接触面積より狭くする。  
【００３９】
第２の方法は、図８に開示するように、第１ホール構造部８０ａに設置するサブホール８３ａと、第２ホール構造部８０ｂのサブホール８３ｂとの形状と接触面積を同様にし、さらに第１ホール構造部８０ａに設置するサブホール８３ａの数を第２ホール構造部８０ｂのサブホール８３ｂの数より少なくする。
【００４０】
第３の方法は、図９に開示するように、サブホール８３ａを含む第１ホール構造部８０ａを設置し、第２ホール構造部８０ｂはサブホール８３ｂを含み、第２ホール構造部８０ｂの接触面積を第１ホール構造部８０ａの複数のサブホール８３ａの接触面積を足した総和よりも広くする。
【００４１】
以上は、第１ホール構造部８０ａの接触面積を第２ホール構造部８０ｂの接触面積より狭くするための方法を何種類か例示したものであって、これらを以ってこの発明の特許請求の範囲を制限するものと理解すべきではない。
【００４２】
以上の実施例における金属リード線９０は、酸化インジウムスズ（ＩＴＯ、Ｉｎｄｉｕｍ  Ｔｉｎ  ＯＸｉｄｅｓ）を材料とする。
【００４３】
以上の実施例では、ＣＯＦユニットを２つ設ける形態を例として説明した。但し、更に多くのＣＯＦユニットを具える液晶表示パネルに対して上述する実施例で提供する構造を用いることは可能である。即ち、隣り合う任意の２つのＣＯＦユニットにおいて、前側のＣＯＦユニットの接続する第１ホール構造部が、後側のＣＯＦユニットの第２ホール構造部に比して更に狭い接触面積を有するようにする。優先的に、ＣＯＦユニットの数は２から４を範囲とする。
【００４４】
以上をまとめると、この発明の提供する液晶表示パネルは、ホール構造部を設置する面積によってＣＯＦユニットの出力リード線と表示ユニットのゲート電極リード線との接続部分の電気抵抗値を調整し、前側ＣＯＦユニットを通過する駆動信号と、後側ＣＯＦユニットを通過して表示ユニットに入力する駆動信号との減衰の大きさが近いものとすることで、信号の差異によって表示ユニットが画像を表示する場合に前側ＣＯＦユニットと後側ＣＯＦユニットとの間の位置にＨ−ＢＬＯＣＫが出現して欠点となる問題を改善する。
【００４５】
ここで特筆すべきは、例えば第１、第２などの類の関係を表わす技術用語は、一つの実体を或は操作することと、他の実体を或は操作することとを区別するものでしかなく、必ずしもこれら実体を或は操作することの間に実際の何らかの関係、又は順序が存在することを要求、又は暗示するものではないということである。しかも、技術用語として「包括」、「包含」、又はその他如何なる変化の形態も非排他的に包含する意を有する。ここから一系列の要素の過程、方法、物品、もしくは設備はそれらの要素を含むのみならず、しかも明確に列挙していないその他要素を包括し、もしくはこの種の過程、方法、物品又は設備の固有の要素をも更に包括する。更に多くの制限がなされていない状況下にあって。「一つ‥‥を包括」なる語句の限定する要素は、該要素の過程、方法、物品又は設備に存在する他の同等の要素を排除しない。
【００４６】
明らかに、この発明の保護されるべき範囲は上述する具体的な実施例に限られるものではない。当業者はこの発明に対して各種の改変、変更などをこの発明の精神の下で行うことができる。仮にこの発明に対するこれら改変、変更などがこの発明の特許請求の範囲に属するものである場合、及び均等の効果を有する技術範囲内である場合、この発明もこれら改変、変更なども同範囲に含まれることを意図する。
【符号の説明】
【００４７】
１          バックライトモジュール
１０        ゲート電極駆動モジュール
２          液晶表示パネル
２０        表示ユニット
３          弱電線
３０ａ      ＣＯＦユニット
３０ｂ      ＣＯＦユニット
４０        出力リード線
５０        ゲート電極リード線
５０ａ      第１金属層
５０ｂ      第２金属層
６０        信号リード線
７０ａ      第１パターン化絶縁層    
７０ｂ      第２パターン化絶縁層    
８０        ホール構造部
８０ａ      第１ホール構造部
８０ｂ      第２ホール構造部
８１        第１ホール領域
８２        第２ホール領域
８３ａ      サブホール
８３ｂ      サブホール
９０        金属リード線
【図１】
0006423951.tif 000002
【図２】
0006423951.tif 000003
【図３】
0006423951.tif 000004
【図４】
0006423951.tif 000005
【図５】
0006423951.tif 000006
【図６】
0006423951.tif 000007
【図７】
0006423951.tif 000008
【図８】
0006423951.tif 000009
【図９】
0006423951.tif 000010